(57)【要約】【課題】被雷状況の一括監視を可能とし、障害発生箇所を特定できるようにする。【解決手段】システム内の雷保護対象であるコンピュータ機器１０と、通信ライン５１、電源ライン５２、接地線５３等の間にステーションプロテクタ２０が設けられ、各ラインから雷サージがステーションプロテクタ２０に流入すると、雷サージ流入警報が雷監視モニタ３０に無線送出され、表示される。流入した雷サージがステーションプロテクタ２０を構成するアレスタに入り込み、アレスタが破損する可能性があるため、定常的にアレスタの破損度チェックが行われ、アレスタの劣化が検出されると、アレスタ破損警報が雷監視モニタ３０に無線送出され、表示される。また、雷サージがアレスタを通過して内部インタフェースに到達した場合、過電圧流入警報が雷監視モニタ３０に無線送出され、表示される。【選択図】      図１
2004341787.tif 000002
【特許請求の範囲】
【請求項１】
雷サージから所定のシステムを構成する各機器をプロテクトするプロテクタと、被雷状況を表示する雷監視モニタとを有し、前記機器の被雷状況を監視する被雷状況監視システムであって、
前記プロテクタは、前記機器と接続される各ラインに設けられ、
前記雷サージが流入したことを検出し、第１のアラーム情報として出力する第１の検出手段と、
前記雷サージを吸収する吸収手段と、
前記吸収手段の破損状況を検出し、第２のアラーム情報として出力する第２の検出手段と、
前記雷サージが前記吸収手段を通過して前記機器に流入したことを検出し、第３のアラーム情報として出力する第３の検出手段と、
前記第１のアラーム情報、前記第２のアラーム情報、および前記第３のアラーム情報の少なくともいずれか１つを前記モニタに無線送信する送信手段と
を備え、
前記雷監視モニタは、
前記送信手段によって無線送信された前記第１のアラーム情報、前記第２のアラーム情報、および前記第３のアラーム情報の少なくともいずれか１つを受信する受信手段と、
前記受信手段によって受信された前記第１のアラーム情報、前記第２のアラーム情報、前記第３のアラーム情報を表示する表示手段と
を備えることを特徴とする被雷状況監視システム。
【請求項２】
前記雷監視モニタとインターネットにより接続されたリモート雷監視モニタをさらに備える
ことを特徴とする請求項１に記載の被雷状況監視システム。
【請求項３】
前記雷監視モニタは、前記第１のアラーム情報、前記第２のアラーム情報、前記第３のアラーム情報の少なくともいずれか１つを前記リモート雷監視モニタに前記インターネットを介して転送する転送手段をさらに備える
ことを特徴とする請求項２に記載の被雷状況監視システム。
【請求項４】
前記雷監視モニタは、前記システムの構成を示すシステム構成情報を記憶する記憶手段をさらに備え、
前記受信手段によって受信された前記第１のアラーム情報、前記第２のアラーム情報、および前記第３のアラーム情報の少なくともいずれか１つを前記システム構成情報に反映させて前記表示手段に表示させる
ことを特徴とする請求項１乃至３のいずれかに記載の被雷状況監視システム。
【請求項５】
雷サージから所定のシステムを構成する各機器をプロテクトするプロテクタと、被雷状況を表示する雷監視モニタとを有し、前記機器の被雷状況を監視する被雷状況監視方法であって、
前記プロテクタは、前記機器と接続される各ラインに設けられ、
前記雷サージが流入したことを検出し、第１のアラーム情報として出力する第１の検出ステップと、
前記雷サージを吸収したアレスタの破損状況を検出し、第２のアラーム情報として出力する第２の検出ステップと、
前記雷サージが前記アレスタを通過して前記機器に流入したことを検出し、第３のアラーム情報として出力する第３の検出ステップと、
前記第１のアラーム情報、前記第２のアラーム情報、および前記第３のアラーム情報の少なくともいずれか１つを前記モニタに送信する送信ステップと
を備え、
前記雷監視モニタは、
前記送信ステップにおいて送信された前記第１のアラーム情報、前記第２のアラーム情報、および前記第３のアラーム情報の少なくともいずれか１つを受信する受信ステップと、
前記受信ステップにおいて受信された前記第１のアラーム情報、前記第２のアラーム情報、前記第３のアラーム情報を表示する表示ステップと
を備えることを特徴とする被雷状況監視方法。
【請求項６】
雷サージから所定のシステムを構成する各機器をプロテクトするプロテクタと、被雷状況を表示する雷監視モニタとを有し、前記機器の被雷状況を監視する被雷状況監視プログラムであって、
前記機器と接続される各ラインに設けられた前記プロテクタに、
前記雷サージが流入したことを検出し、第１のアラーム情報として出力する第１の検出ステップと、
前記雷サージを吸収したアレスタの破損状況を検出し、第２のアラーム情報として出力する第２の検出ステップと、
前記雷サージが前記アレスタを通過して前記機器に流入したことを検出し、第３のアラーム情報として出力する第３の検出ステップと、
前記第１のアラーム情報、前記第２のアラーム情報、および前記第３のアラーム情報の少なくともいずれか１つを前記モニタに送信する送信ステップと
を実行させ、
前記雷監視モニタに、
前記送信ステップにおいて送信された前記第１のアラーム情報、前記第２のアラーム情報、および前記第３のアラーム情報の少なくともいずれか１つを受信する受信ステップと、
前記受信ステップにおいて受信された前記第１のアラーム情報、前記第２のアラーム情報、前記第３のアラーム情報を表示する表示ステップと
を実行させることを特徴とする被雷状況監視プログラム。
【発明の詳細な説明】
【０００１】
【発明の属する技術分野】
本発明は、被雷状況監視システムに関し、特に、雷サージの流入を検出し、被雷状況を監視する被雷状況監視システムに関する。
【０００２】
【従来の技術】
従来の耐雷システムにおいては、耐雷用のプロテクタ設置により、雷に対する防御を行っていたが、アレスタには耐雷限度があるため、数回の落雷による雷サージ流入によって、その機能が失われていた。
また、電圧比較器が、基準電圧と雷サージ電圧とを比較することにより、どの回線にどの程度の雷サージが発生したかを知ることができるようにしたものがある（例えば、特許文献１参照）。
【０００３】
【特許文献１】
特開昭５６−０９３４６６号公報（図１）
【０００４】
【発明が解決しようとする課題】
しかしながら、従来の耐雷システムでは、実際に雷が発生したときに、システム内での被雷範囲を特定することができるシステムは存在していなかったため、一度、大きな雷障害が発生した場合、被雷範囲を憶測でしか判断することができなかった。従って、システム内の被雷による被害を調査するためには、システム内の各装置の運転状況を逐一確認する必要があった。このため、復旧作業には多大な工数が必要となってしまうという大きな問題があった。
また、特許文献１に記載の発明では、雷サージの流入検出と監視はできるが、雷サージを防止する機構がなく、また、雷サージの流入が検出されたときにアラーム情報を無線送出したり、インターネットを介して複数箇所のアラームを一括管理することはできないという問題があった。
【０００５】
本発明はこのような状況に鑑みてなされたものであり、雷を防御することに加えて、雷の影響を受けたシステムを早期に特定し、被雷箇所にある装置への対応を早期に行うことができるようにするものである。
【０００６】
【課題を解決するための手段】
請求項１に記載の被雷状況監視システムは、雷サージから所定のシステムを構成する各機器をプロテクトするプロテクタと、被雷状況を表示する雷監視モニタとを有し、機器の被雷状況を監視する被雷状況監視システムであって、プロテクタは、機器と接続される各ラインに設けられ、雷サージが流入したことを検出し、第１のアラーム情報として出力する第１の検出手段と、雷サージを吸収する吸収手段と、吸収手段の破損状況を検出し、第２のアラーム情報として出力する第２の検出手段と、雷サージが吸収手段を通過して機器に流入したことを検出し、第３のアラーム情報として出力する第３の検出手段と、第１のアラーム情報、第２のアラーム情報、および第３のアラーム情報の少なくともいずれか１つをモニタに無線送信する送信手段とを備え、雷監視モニタは、送信手段によって無線送信された第１のアラーム情報、第２のアラーム情報、および第３のアラーム情報の少なくともいずれか１つを受信する受信手段と、受信手段によって受信された第１のアラーム情報、第２のアラーム情報、第３のアラーム情報を表示する表示手段とを備えることを特徴とする。
また、雷監視モニタとインターネットにより接続されたリモート雷監視モニタをさらに備えるようにすることができる。
また、雷監視モニタは、第１のアラーム情報、第２のアラーム情報、第３のアラーム情報の少なくともいずれか１つをリモート雷監視モニタにインターネットを介して転送する転送手段をさらに備えるようにすることができる。
また、雷監視モニタは、システムの構成を示すシステム構成情報を記憶する記憶手段をさらに備え、受信手段によって受信された第１のアラーム情報、第２のアラーム情報、および第３のアラーム情報の少なくともいずれか１つをシステム構成情報に反映させて表示手段に表示させるようにすることができる。
請求項５に記載の被雷状況監視方法は、雷サージから所定のシステムを構成する各機器をプロテクトするプロテクタと、被雷状況を表示する雷監視モニタとを有し、機器の被雷状況を監視する被雷状況監視方法であって、プロテクタは、機器と接続される各ラインに設けられ、雷サージが流入したことを検出し、第１のアラーム情報として出力する第１の検出ステップと、雷サージを吸収したアレスタの破損状況を検出し、第２のアラーム情報として出力する第２の検出ステップと、雷サージがアレスタを通過して機器に流入したことを検出し、第３のアラーム情報として出力する第３の検出ステップと、第１のアラーム情報、第２のアラーム情報、および第３のアラーム情報の少なくともいずれか１つをモニタに送信する送信ステップとを備え、雷監視モニタは、送信ステップにおいて送信された第１のアラーム情報、第２のアラーム情報、および第３のアラーム情報の少なくともいずれか１つを受信する受信ステップと、受信ステップにおいて受信された第１のアラーム情報、第２のアラーム情報、第３のアラーム情報を表示する表示ステップとを備えることを特徴とする。
請求項６に記載の被雷状況監視プログラムは、雷サージから所定のシステムを構成する各機器をプロテクトするプロテクタと、被雷状況を表示する雷監視モニタとを有し、機器の被雷状況を監視する被雷状況監視プログラムであって、機器と接続される各ラインに設けられたプロテクタに、雷サージが流入したことを検出し、第１のアラーム情報として出力する第１の検出ステップと、雷サージを吸収したアレスタの破損状況を検出し、第２のアラーム情報として出力する第２の検出ステップと、雷サージがアレスタを通過して機器に流入したことを検出し、第３のアラーム情報として出力する第３の検出ステップと、第１のアラーム情報、第２のアラーム情報、および第３のアラーム情報の少なくともいずれか１つをモニタに送信する送信ステップとを実行させ、雷監視モニタに、送信ステップにおいて送信された第１のアラーム情報、第２のアラーム情報、および第３のアラーム情報の少なくともいずれか１つを受信する受信ステップと、受信ステップにおいて受信された第１のアラーム情報、第２のアラーム情報、第３のアラーム情報を表示する表示ステップとを実行させることを特徴とする。
【０００７】
【発明の実施の形態】
本発明は、落雷の影響によって、通常運用時には発生し得ない大電流が各物理ライン（ＬＡＮ（ｌｏｃａｌ  ａｒｅａ  ｎｅｔｗｏｒｋ）、シリアルケーブル、構内回線等）上へ流入（一般的には雷サージと呼ばれる）した際に、ネットワークと接続されるコンピュータ機器等の雷保護対象である各機器を、雷サージからプロテクトするとともに、システム内での雷サージの伝搬範囲、およびプロテクタの状況を、無線技術（例えば、無線ＬＡＮ）、およびインターネットを用いて雷監視モニタへ通知し、視覚的に被雷状況を認識することができるようにするものである。
【０００８】
図１は、本発明が適用される被雷状況監視システムの一実施の形態の構成例を示すブロック図である。この被雷状況監視システムを用いることで、雷に対する耐性が提供されると共に、システム全体での雷サージの影響を即時に判断することが可能となる。
【０００９】
図１は、ＬＡＮ接続を行っている一般的なコンピュータ機器１０に、この被雷状況監視システムを適用した例を示している。同図に示すように、雷保護対象となるコンピュータ機器１０は、ネットワーク接続に使用している各通信用の物理ライン（ＬＡＮ、シリアル、構内回線等）である通信ライン５１、電源５０から電力が供給される電源ライン５２、およびＧｒａｎｄ（接地）のための接地線５３のように、落雷時に雷サージが流入する可能性のある接続の全てを、ステーションプロテクタ２０へ一度に一括して収容し、各ライン間に挟み込み設置する。
【００１０】
ステーションプロテクタ２０は、雷による過電流流入検出機能、過電流流入防止機能、および被雷状況等の警報情報を無線により出力する機能を有する。即ち、ステーションプロテクタ２０は、被雷状況を無線ＬＡＮ１００にて雷監視モニタ３０に転送するようになっている。また、リモート雷監視モニタ４０に警報情報を転送する際には、インターネット２００を用いて行う。
【００１１】
雷監視モニタ３０、およびリモート雷監視モニタ４０は、ステーションプロテクタ２０や、図示しない他の機器に設置されたステーションプロテクタ２０からの情報を元に、図示せぬ記憶装置に予め記憶しているシステム構成情報に被雷状況を反映し、視覚的に、被雷ポイントおよび被雷状況の判別が可能な情報を、図示せぬディスプレイの画面に出力する。
【００１２】
図２は、雷監視モニタ３０、およびリモート雷監視モニタ４０の画面例を示している。この例では、Ａ棟に設置されたＬＡＮで接続された端末１乃至７およびルータと、Ｂ棟に設置されたＬＡＮで接続された端末１、ホストコンピュータ１，２およびルータと、工場棟に設置されたＬＡＮで接続された端末１乃至７およびルータとが表示されている。また、被雷した端末が区別できるように、被雷した端末と被雷していない端末の表示色を変えている。
【００１３】
そして、画面の右側に、次のような被雷状況が表示されている。「０３／０４／１２  １２：１０：５５  Ａ棟の端末３の電源系統に過電流が流れ込みました。（ｐｉｎｇ  ｔｉｍｅｏｕｔ）」、「０３／０４／１２  １２：１０：５５  Ａ棟の端末４の電源系統に過電流が流れ込みました。（ｐｉｎｇ  ｔｉｍｅｏｕｔ）」、「０３／０４／１２  １２：１０：５５  Ａ棟の端末５の電源系統に過電流が流れ込みました。（ｐｉｎｇ  ｔｉｍｅｏｕｔ）」、「０３／０４／１２１２：１０：５６  Ａ棟のＲｏｕｔｅｒに接続されているターミナルステーションの耐圧レベルが限界となりました。アレスタの交換が必要です。」
【００１４】
この画面から、システム管理者は、視覚的に容易にシステム全体の被雷状況を確認することが可能となる。この例の場合、Ａ棟の端末３，４，５が被雷したことが分かる。また、Ａ棟のＲｏｕｔｅｒに接続されているターミナルステーション２０の耐圧レベルが限度となったこと、およびアレスタ２１（図４）の交換が必要となったことが分かる。
【００１５】
本システムでは、事前に雷保護対象とするポイント毎にステーションプロテクタ２０を設置し、それらのステーションプロテクタ２０から無線で発信される情報を受信する雷監視モニタ３０をセットアップする必要がある。
【００１６】
本システムがユーザシステム（この例の場合、コンピュータ機器１０）に組み込まれた状態で、実際に雷が発生し、雷サージがユーザシステム内へ流入すると、本システムは図３を参照して後述するような動作を行う。図３は、本システムの基本動作を示すフローチャートである。
【００１７】
また、図４は、ステーションプロテクタ２０の機能ブロック図である。同図に示すように、本実施の形態は、機能的には、雷サージからシステム内部のコンピュータ機器１０をガードするアレスタ２１と、外側および内側の過電流通過や、アレスタ２１自身の耐性劣化を検出するアラーム検知部２２と、アラーム情報を雷の影響を絶縁しつつ無線制御部２４へ渡すためのアラーム出力ＳＷ２３と、無線ＬＡＮ１００へのアラーム情報の送出を制御する無線制御部２４と、無線ＬＡＮ１００へアラーム情報を送出する無線インタフェース部２５とから構成されている。この例の場合、アレスタ２１の所定のものは接地線５３とコンピュータ機器１０の間に設けられ、アレスタ２１の他の所定のものは電源ライン５２から電力が入力される電源入力部６１と、この電力が出力される電源出力部６２の間に設けられ、アレスタ２１のさらに他の所定のものは通信ライン５１からデータが入力されるインタフェース部６３と、このデータが出力されるインタフェース部６４の間に設けられている。
【００１８】
通常時は、無線ＬＡＮ１００へアラーム情報を送出する機能を有する部分に関してはサスペンド状態となっている。そして、雷サージの流入によりアラーム出力ＳＷ２３のいずれかがＯＮになった時、無線ＬＡＮ１００へアラーム情報を送出する機能を有する部分（例えば、無線制御部２４、無線インタフェース部２５）がアクティブとなり、アラーム情報の無線送信が開始される。即ち、アラーム出力ＳＷ２３は、アレスタ毎に設けられている。
【００１９】
雷監視モニタ３０に転送されたアラーム情報は、さらに必要に応じて、インターネット２００を介してリモート雷監視モニタ４０に転送される。雷監視モニタ３０は、各ステーションプロテクタ２０から送信されてきたアラーム情報を収集し、図示せぬ記憶装置に予め記憶しているシステム構成情報にアラーム情報を反映させる。これにより、図２に示したように、視覚的に、被雷ポイントおよび被雷状況が分かるような情報が画面に出力される。
【００２０】
次に、図３のフローチャートを参照して、本実施の形態の動作について説明する。まず、ステップＳ１において、落雷が発生し、雷サージがステーションプロテクタ２０に流入すると、ステップＳ２において、アラーム検知部２２は、この雷サージの流入を「雷サージ流入警報」として検知し、検知信号をアラーム出力ＳＷ２３へ出力する。次に、ステップＳ３において、流入した雷サージはアレスタ２１に入り込み、アレスタ２１の働きにより吸収される。
【００２１】
ただし、アレスタ２１が雷サージを吸収した場合、場合によってはアレスタ２１が破損する可能性がある。このため、ステップＳ４においては、アレスタ２１の破損度チェックが定常的に行われている。この破損度チェックは、一般的なアレスタ２１でも使用されているアレスタ機能劣化検出機構をアラーム検知部２２に組み込むことで実現している。この破損度チェックにおいてアレスタ２１の劣化が検出されると、ステップＳ５に進み、検出信号が「アレスタ破損警報」としてアラーム出力ＳＷ２３へ出力される。
【００２２】
また、ステップＳ６において、内部側にて過電圧が検出されたか否かがチェックされる。その結果、雷サージがアレスタ２１を通過し、内部インタフェース（インタフェース部６２）に到達した場合、ステップＳ７に進み、アラーム検知部２２において、「過電圧流入警報」として検知され、この検知信号がアラーム出力ＳＷ２３へ出力される。
【００２３】
ステップＳ７の処理が終了した場合、又はステップＳ４においてアレスタが破損していないと判定された場合、又はステップＳ６において内部側にて過電圧が検出されていないと判定された場合、ステップＳ８に進む。ステップＳ８においては、上記のように、アラーム出力ＳＷ２３へ出力された各警報情報（「雷サージ流入警報」、「アレスタ破損警報」、「過電圧流入警報」）は、ただちに無線インタフェース部２５へ供給され、さらに、ステップＳ９において、無線制御部２４の制御下、各警報情報が無線インタフェース部２５から雷監視モニタ３０に送信される。
【００２４】
次に、ステップＳ１０において、雷監視モニタ３０は、自己が予め図示せぬ記憶装置に記憶しているシステム構成情報に、受信した各警報情報を反映させ、図示せぬディスプレイにその各警報情報を反映させたシステム構成情報を表示させる。これにより、ユーザは、リアルタイムにシステム内の被雷状況を確認することができる。その後、ステップＳ１に戻り、ステップＳ１以降の処理が繰り返し実行される。
【００２５】
次に、ステーションプロテクタ２０の機能について説明する。まず、ステーションプロテクタ２０の種類であるが、各通信用の物理ライン（ＬＡＮ、シリアル、構内回線等）は様々な種類があるため、それぞれの場合に応じたステーションプロテクタ２０の機種選定が必要となる。
【００２６】
なお、一般的なステーションプロテクタ２０は、雷による過電流流入検出機能、および過電流流入防止機能を有するが、本実施の形態で使用するステーションプロテクタ２０は、それらの機能に加えて、被雷状況の無線出力機能を有する点が最大の特徴となっている。
【００２７】
以上説明したように、本実施の形態を使用することにより、システム内のコンピュータ機器等を雷サージから守り、さらに、万が一、雷サージがアレスタ２１を通過した場合でも、それによる影響範囲を確認することができ、障害が発生した装置の特定が可能となる。また、被雷限度が有限であるアレスタ２１の耐圧限度オーバーも確認することができる。また、雷監視モニタ３０を使用して無線により各アレスタ２１から送信されてきたアラーム情報を受信し、表示することができるため、システム全体に対する被雷状況を一括して監視する一括状況監視が可能となり、メンテナンス効率を向上させることができる。さらに、インターネットを介してリモート雷監視モニタ４０にアラーム情報を送信することができるので、様々な場所で被雷状況の監視が可能となる。
【００２８】
なお、上記実施の形態の構成および動作は例であって、本発明の趣旨を逸脱しない範囲で適宜変更することができることは言うまでもない。
【００２９】
【発明の効果】
以上の如く、本発明に係る被雷状況監視システムによれば、システム内の機器への雷サージの流入を抑制するアレスタが、雷サージが流入したこと、アレスタの劣化状況、および雷サージがアレスタを通過してシステム内部の機器に過電圧が流入したことを検知し、アラーム情報を無線送出し、雷監視モニタの画面に表示することができる。これにより、システム内の機器への雷サージの流入を抑制するとともに、万が一雷サージがアレスタを通過した場合でも、それによる障害発生箇所を特定することができる。また、アレスタの耐性限度オーバーも確認することができる。また、システム全体の被雷状況の一括監視が可能となる。さらに、インターネットを介して被雷状況を送信することができるので、様々な場所で被雷状況を監視することができる。
【図面の簡単な説明】
【図１】本発明を応用した被雷状況監視システムの一実施の形態の構成例を示すブロック図である。
【図２】ステーションプロテクタの表示画面例を示す図である。
【図３】図１の実施の形態の動作を説明するためのフローチャートである。
【図４】ステーションプロテクタの構成例を示すブロック図である。
【符号の説明】
１０  コンピュータ機器
２０  ステーションプロテクタ
２１  アレスタ
２２  アラーム検知部
２３  アラーム出力ＳＷ
２４  無線制御部
２５  無線インタフェース部
３０  雷監視モニタ
４０  リモート雷監視モニタ
５０  電源
５１  通信ライン
５２  電源ライン
５３  接地線
６１  電源入力部
６２  電源出力部
６３，６４  インタフェース部
１００  無線ＬＡＮ
２００  インターネット
【図１】
2004341787.tif 000003
【図２】
2004341787.tif 000004
【図３】
2004341787.tif 000005
【図４】
2004341787.tif 000006